(57)【要約】      （修正有）【課題】ケース内部用の可動式スペーサーを提供する。【解決手段】主にケース１内部に第一方向スペーサー２を平行に設置すると共に第一方向スペーサー間に第二方向スペーサー３を平行に設置することにより、ケース内に複数の収納空間１１を形成する。第一方向スペーサーはケース内部に一体形成されるよう平行に設置される、又は第一方向スペーサーの両端に弾性弧部２１が形成されてケース内部に設置され、第二方向スペーサーはケースと第一方向スペーサーの間に平行に設置され、２つの第一方向スペーサーの間に平行に設置され、第二方向スペーサーの両端に弾性弧部３１が形成される。これにより、ケース内で第二方向スペーサー、又は第一、二方向スペーサーは弾性弧部を用いてしっかりと当接位置決めし、ユーザーは異なる使用ニーズに基づき、前記第二方向スペーサー、又は第一、二方向スペーサーの位置を任意に調整できる。【選択図】図５
0003189323.tif 000002
【実用新案登録請求の範囲】
【請求項１】
内部に第一方向スペーサーを平行に設置すると共に第一方向スペーサー間に第二方向スペーサーを平行に設置することにより、その内部に複数の収納空間を形成するケースと、
前記ケースの内部に一体形成で平行に設置される第一方向スペーサーと、
前記ケースと前記第一方向スペーサーの間及び、２つの前記第一方向スペーサーの間に平行に設置され、前記第二方向スペーサーの両端に弾性弧部が形成される前記第二方向スペーサーと、を具備することを特徴とする、
ケース内部用の可動式スペーサー。
【請求項２】
前記第二方向スペーサーの高さはケースの上縁より高いことを特徴とする、請求項１に記載のケース内部用の可動式スペーサー。
【請求項３】
内部に第一方向スペーサーを平行に設置すると共に第一方向スペーサー間に第二方向スペーサーを平行に設置することにより、その内部に複数の収納空間を形成するケースと、
前記ケースの内部に平行に設置され、且つその両端に弾性弧部が形成される第一方向スペーサーと、
前記ケースと前記第一方向スペーサーの間及び、２つの前記第一方向スペーサーの間に平行に設置され、且つその両端に弾性弧部が形成される前記第二方向スペーサーと、を具備することを特徴とする、
ケース内部用の可動式スペーサー。
【考案の詳細な説明】
【技術分野】
【０００１】
本考案は、ケース内部用の可動式スペーサーに関し、より詳しくは、ユーザーが異なる使用ニーズに基づき収納空間サイズの大きさを柔軟且つ任意に調整することができ、ケースを使用する際より便利であり、ケース全体の使用上、実用的で機能特性が高いケース内部用の可動式スペーサーの新しい設計に関する。
【背景技術】
【０００２】
一般の日常生活において、人々は各種異なるタイプの収納ケースを使用している。前記収納ケース中に各種日常用品又は各種良く使うツールなどの物品を収納し、前記収納ケースの収納を利用することにより、各物品を整理して置くことができ、探して使用するのに便利になる。
【考案の概要】
【考案が解決しようとする課題】
【０００３】
しかしながら、前述した従来の収納ケースは、主にケースとケースカバーから構成され、前記ケースは一側とケースカバーがピボット結合されている。
ケースカバーでケース上を被覆するとき、ケースの別の位置側とケースカバーは固定結合され、前記ケース内にはそれぞれ複数の縦方向スペーサーが平行に固定設置されると共に、各縦方向スペーサー間には横方向スペーサーが平行に固定設置され、各種物品を縦方向スペーサーと横方向スペーサーの間に形成される収納空間内に収納する。
しかし、前記縦方向スペーサーと横方向スペーサーはどれも固定方式で設置されるため、その形成される収納空間はどれも固定空間サイズであり、ユーザーが異なる使用ニーズに基づき調整を行うことができず、その使用においてとても不便になってしまう。
【０００４】
従って、業者は異なるサイズの収納空間に調整可能な収納ケースを研究開発した（図８参照）。
前記収納ケース５は主に内部に複数の縦方向スペーサー５１を平行に設置すると共に縦方向スペーサー５１間の対応する位置に溝部５２を形成し、前記溝部５２は横方向のスペーサー５３を差込結合させ、ユーザーは異なる使用ニーズに基づき横方向のスペーサー５３を縦方向のスペーサー５１間の溝部５２内に差込むかどうか、又は横方向のスペーサー５３を縦方向のスペーサー５１間の異なる位置の溝部５２内に選択的に差込むかどうかを選択することができ、これにより前記収納ケース５内に複数の収納空間５４を形成し、ユーザーが異なる収納空間５４内に異なる物品を置きやすくする。
【０００５】
しかしながら、前記収納ケースは収納空間サイズの大きさを調整するという予期された効果を達成することができるが、前記収納ケースの横方向のスペーサーは縦方向のスペーサーの間の溝部内に差込固定できるだけであり、横方向のスペーサーの差込位置は溝部による制限を受ける。そのため、前記収納空間が調整できるサイズの大きさにはやはり制限があり、ユーザーの異なる使用ニーズに基づき任意に収納空間のサイズの大きさを調整することができず、前記収納ケースの全体構造設計上改良の余地が存在している。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、ケース内部用の可動式スペーサーを提供することを主目的とする。
【課題を解決するための手段】
【０００８】
上述した課題を解決し、目的を達成するために、本考案に係るケース内部用の可動式スペーサーはその内部に第一方向スペーサーを平行に設置すると共に第一方向スペーサー間に第二方向スペーサーを平行に設置することにより、その内部に複数の収納空間を形成するケースと、前記ケース内部に一体形成されるよう平行に設置される第一方向スペーサーと、前記ケースと前記第一方向スペーサーの間及び、２つの前記第一方向スペーサーの間に平行に設置され、前記第二方向スペーサーの両端に弾性弧部が形成される前記第二方向スペーサーと、を具備することを特徴とする。
【０００９】
本考案のケース内部用の可動式スペーサーの好適な実施の形態において、前記第二方向スペーサーの高さはケースの上縁より少し高いことを特徴とする。
【００１０】
さらに、本考案に係るケース内部用の可動式スペーサーはその内部に第一方向スペーサーを平行に設置すると共に第一方向スペーサー間に第二方向スペーサーを平行に設置することにより、その内部に複数の収納空間を形成するケースと、前記ケース内部に一体形成されるよう平行に設置され、且つその両端に弾性弧部が形成される第一方向スペーサーと、前記ケースと前記第一方向スペーサーの間及び、２つの前記第一方向スペーサーの間に平行に設置され、且つその両端に弾性弧部が形成される前記第二方向スペーサーと、を具備することを特徴とする。
【００１１】
本考案のケース内部用の可動式スペーサーの好適な実施の形態において、前記第一方向スペーサー及び第二方向スペーサーの高さはケースの上縁より少し高いことを特徴とする。
【考案の効果】
【００１２】
本考案によれば、ケース内で前記第二方向スペーサー、又は第一、二方向スペーサーは弾性弧部を用いてしっかりと当接位置決めされ、ユーザーは異なる使用ニーズに基づき、前記第二方向スペーサー、又は第一、二方向スペーサーの位置を任意に調整し、柔軟且つ任意に収納空間のサイズの大きさを調整することができ、ケースの使用時により便利であり、ケース全体の使用においてより実用的な機能特性を増加させることができる。
【図面の簡単な説明】
【００１３】
【図１】本考案の一実施形態に係るケース内部用の可動式スペーサーを説明する分解構造の概略斜視図である。
【図２】本考案の一実施形態に係るケース内部用の可動式スペーサーを説明する組合せ構造の概略斜視図である。
【図３】本考案の一実施形態に係るケース内部用の可動式スペーサーを説明する一部の組合せ構造の拡大の概略図である。
【図４】本考案の他の実施形態に係るケース内部用の可動式スペーサーを説明する分解構造の概略斜視図である。
【図５】本考案の他の実施形態に係るケース内部用の可動式スペーサーを説明する組合せ構造の概略斜視図である。
【図６】本考案の他の実施形態に係るケース内部用の可動式スペーサーを説明する一部の組合せ構造の拡大の概略図である。
【図７】本考案の他の実施形態に係るケース内部用の可動式スペーサーを説明する組合せ構造の断面の概略図である。
【図８】従来のケース内部用の可動式スペーサーを示す分解構造の概略斜視図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
以下、本考案の第１実施形態を図１〜３に基づいて説明する。図１は本考案の一実施形態に係るケース内部用の可動式スペーサーを説明する分解構造の概略斜視図である。
ケース１、第一方向スペーサー２及び第二方向スペーサー３で構成されている。前記ケース１はその内部に第一方向スペーサー２を平行に設置すると共に第一方向スペーサー２間に第二方向スペーサー３を平行に設置し、ケース１中に複数の収納空間１１を形成する。
【００１６】
前記第一方向スペーサー２はケース１内部に一体形成されるよう平行に設置される。前記第二方向スペーサー３はケース１と第一方向スペーサー２の間、及び２つの第一方向スペーサー２間に平行に設置され、前記第二方向スペーサー３の両端に弾性弧部３１が形成される。
【００１７】
図１及び図２を合せて参照する。本考案を組み合わせて結合するとき、前記ケース１内に複数の第一方向スペーサー２が一体形成されるように平行に設置され、前記ケース１と第一方向スペーサー２の間及び２つの第一方向スペーサー２間に第二方向スペーサー３を設置し、前記第二方向スペーサー３の両端の弾性弧部３１を用いてケース１と第一方向スペーサー２間及び２つの第一方向スペーサー２間で弾性当接し（図１、図２及び図３の参照）、前記第二方向スペーサー３がしっかりとした位置決め効果を有するようにさせ、勝手に滑り落ちないようにする。
前記第二方向スペーサー３は両端の弾性弧部３１をケース１と第一方向スペーサー２の間及び２つの第一方向スペーサー２の間に組み合わせて位置決めすることにより、第二方向スペーサー３がケース１と第一方向スペーサー２の間及び２つの第一方向スペーサー２の間で任意に位置を調整できるようにし、ユーザーが異なる使用ニーズに基づき、任意に収納空間１１のサイズの大きさを調整するという目的を達成する。
【００１８】
（第２実施形態）
図４は本考案の他の実施形態に係るケース内部用の可動式スペーサーを説明する分解構造の概略斜視図である。
本考案は前記ケース１内に第一方向スペーサー２と第二方向スペーサー３をそれぞれ設置することができ、前記第一方向スペーサー２と第二方向スペーサー３の両端のすべてに弾性弧部２１、３１が設けられる。これを組み合わせて結合させるとき（図５及び図６を参照）、前記第一方向スペーサー２をケース１内に平行に設置すると共に、前記第一方向スペーサー２はケース１内で任意に調整することができ、前記第一方向スペーサー２の両端の弾性弧部２１はケース１内縁に弾性当接し、且つ、前記第二方向スペーサー３は両端の弾性弧部３１を用いてケース１と第一方向スペーサー間及び２つの第一方向スペーサー２間で弾性当接し、前記第二方向スペーサー３は同様にケース１と第一方向スペーサー２の間及び２つの第一方向スペーサー２の間で任意に位置を調整できる。
前記第一、二方向スペーサー２、３はどれも弾性弧部２１、３１を用いてしっかりと位置決めする効果を有し、勝手に滑り落ちることがなく、ケース１においてより柔軟に収納空間１１をユーザーが求めるサイズの大きさに調整することができる。
【００１９】
（第３実施形態）
さらに、図７は本考案の他の実施形態に係るケース内部用の可動式スペーサーを説明する組合せ構造の断面の概略図である。
本考案の第一方向スペーサー２と第二方向スペーサー３の高さはケース１の上縁より少し高く、ケースカバー４が被覆位置決めするとき、前記ケースカバー４は第一方向スペーサー２と第二方向スペーサー３の上端縁を押圧し、第一方向スペーサー２と第二方向スペーサー３がより安定した位置決め効果を有するようにさせ、第一方向スペーサー２と第二方向スペーサー３が移動し抜け落ちてしまう状況が発生することを防止する。
【００２０】
上述の、本考案の構造の組合せと使用の実施説明からわかるように、本考案と従来構造を比較すると、本考案はケース内で前記第二方向スペーサー、又は第一、二方向スペーサーが弾性弧部を用いてしっかりと当接位置決めをし、ユーザーは異なる使用ニーズに基づき、前記第二方向スペーサー、又は第一、二方向スペーサーの位置を任意に調整し、柔軟且つ任意に収納空間のサイズの大きさを調整し、使用時より便利であり、より実用的な機能特性を増加させることができる。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
１    ケース
１１  収納空間
２    第一方向スペーサー
２１  弾性弧部
３    第二方向スペーサー
３１  弾性弧部
４    ケースカバー
５    収納ケ−ス  
５１  縦方向のスペーサー
５２  溝部
５３  横方向のスペーサー
５４  収納空間
【図１】
0003189323.tif 000003
【図２】
0003189323.tif 000004
【図３】
0003189323.tif 000005
【図４】
0003189323.tif 000006
【図５】
0003189323.tif 000007
【図６】
0003189323.tif 000008
【図７】
0003189323.tif 000009
【図８】
0003189323.tif 000010